(57)【特許請求の範囲】
【請求項１】
衣類のウエスト構造であって、
着用時のウエストラインを含む胴周囲を覆う帯状の本体と、前記本体に取り付けられる当て布とを有し、
前記本体は、腹部側に配置される前部分と、前記前部分に対向して設けられる後部分とで構成され、
前記当て布は、両側辺、上辺および前記上辺に対向する下辺を有しており、
前記当て布が、前記ウエストラインを含む領域において、前記本体の両側部から後側の範囲に、前記本体の後部分の両側部から後ろに向かって配置されており、
かつ、前記当て布が、腰椎の左右端にかからない横幅を有し、
前記当て布の上辺が、前記本体の両側部から後側に向かって、上から下に傾斜する形状に形成され、
前記当て布の両側辺は、前記本体に固定されており、かつ、前記当て布の上下辺のうち少なくとも上辺は、前記本体に固定されていないことを特徴とする、ウエスト構造。
【請求項２】
前記当て布の下辺が、前記本体の両側部から後側に向かって、上から下に傾斜する形状を有し、かつ、前記本体に固定されていないことを特徴とする、請求項１記載のウエスト構造。
【請求項３】
衣類のウエスト構造であって、
着用時のウエストラインを含む胴周囲を覆う帯状の本体と、前記本体に取り付けられる当て布とを有し、
前記本体は、腹部側に配置される前部分と、前記前部分に対向して設けられる後部分とで構成され、
前記当て布は、両側辺、上辺および前記上辺に対向する下辺を有しており、
前記当て布が、前記ウエストラインを含む領域において、前記本体の両側部から前側の範囲に、前記本体の前部分の両側部から前に向かって配置されており、
かつ、前記当て布が、腰椎の左右端にかからない横幅を有し、
前記当て布の上辺が、前記本体の両側部から前側に向かって、上から下に傾斜する形状に形成され、
前記当て布の両側辺は、前記本体に固定されており、かつ、前記当て布の上下辺のうち少なくとも上辺は、前記本体に固定されていないことを特徴とする、ウエスト構造。
【請求項４】
前記当て布の下辺が、前記本体の両側部から前側に向かって、上から下に傾斜する形状を有し、かつ、前記本体に固定されていないことを特徴とする、請求項３記載のウエスト構造。
【請求項５】
前記本体の上辺が、着用時において、第三腰椎の少なくとも一部に相当する部分までを覆うように形成されていることを特徴とする、請求項１から４のいずれか一項に記載のウエスト構造。
【請求項６】
前記本体の上辺が、折り返して形成されていること特徴とする、請求項１から５のいずれか一項に記載のウエスト構造。
【請求項７】
前記ウエストラインを含む領域において、伸縮部と、前記当て布が配置される位置に対応するパネル部とを有し、
前記伸縮部は、前記本体を含み、
前記パネル部は、前記当て布および前記当て布と略同一の横幅を有する前記本体を含み、
前記伸縮部と前記パネル部とは、前記当て布の両側辺において袋縫いで固着されていることを特徴とする、請求項１から６のいずれか一項に記載のウエスト構造。
【請求項８】
ボトム衣類であって、請求項１から請求項７のいずれか一項に記載のウエスト構造を有していることを特徴とする、ボトム衣類。
【発明の詳細な説明】
【技術分野】
【０００１】
本発明は、ウエスト構造およびボトム衣類に関する。
【背景技術】
【０００２】
従来から、特にウエスト部を中心として、自分の体型を美しく見せたいという強いニーズがある。一般に、ウエスト部の脇側部分は、贅肉が付着しやすい箇所である。また、当該部分は、骨盤と肋骨との間の領域であるため、骨格がない。これにより、ウエスト部の脇側部分には、例えば、ガードルなどの体型補整衣類の上辺始末等が食い込みやすく、美しいシルエットに整えることができない。この食い込みを低減させるための技術の一例としては、例えば、ウエスト部の一部に、身生地よりも伸度の大きい高伸度部を設けることで、ウエスト部の食い込みを防ぎ、着用感の良好なガードルを得るという試みがなされている（例えば、特許文献１参照）。
【先行技術文献】
【特許文献】
【０００３】
【特許文献１】特開２０００−３３６５０１号公報
【発明の概要】
【発明が解決しようとする課題】
【０００４】
しかし、前記技術では、高伸度部材が配置された部分に贅肉が集まることによって着崩れが起こり、体型補整の効果が十分に得られなかった。
【０００５】
そこで、本発明は、着崩れを起こすことなく、ウエスト部への食い込みを防ぐことの可能な、ウエスト構造を提供することを目的とする。
【課題を解決するための手段】
【０００６】
前記目的を達成するために、本発明のウエスト構造は、
衣類のウエスト構造であって、
着用時のウエストラインを含む胴周囲を覆う帯状の本体と、前記本体に取り付けられる当て布とを有し、
前記本体は、腹部側に配置される前部分と、前記前部分に対向して設けられる後部分とで構成され、
前記当て布は、両側辺、上辺および下辺を有しており、
前記当て布が、前記ウエストラインを含む領域において、前記本体の両側部から後側の範囲に配置され、
前記当て布の上辺が、前記本体の両側部から後側に向かって、上から下に傾斜する形状に形成され、
前記当て布の両側辺は、前記本体に固定されており、かつ、前記当て布の上下辺のうち少なくとも上辺は、前記本体に固定されていないことを特徴とする。
【０００７】
また、本発明のウエスト構造は、
衣類のウエスト構造であって、
着用時のウエストラインを含む胴周囲を覆う帯状の本体と、前記本体に取り付けられる当て布とを有し、
前記本体は、腹部側に配置される前部分と、前記前部分に対向して設けられる後部分とで構成され、
前記当て布は、両側辺、上辺および下辺を有しており、
前記当て布が、前記ウエストラインを含む領域において、前記本体の両側部から前側の範囲に配置され、
前記当て布の上辺が、前記本体の両側部から前側に向かって、上から下に傾斜する形状に形成され、
前記当て布の両側辺は、前記本体に固定されており、かつ、前記当て布の上下辺のうち少なくとも上辺は、前記本体に固定されていないことを特徴とする。
【発明の効果】
【０００８】
本発明によれば、着崩れを起こすことなく、ウエスト部への食い込みを防ぐことの可能な、ウエスト構造を提供することができる。
【図面の簡単な説明】
【０００９】
【図１】図１（ａ）は、本発明のウエスト構造を有する衣類の一例である、第１の実施形態に係るガードルの背面斜視図、図１（ｂ）は、前記第１の実施形態における当て布の拡大図である。
【図２】図２は、前記第１の実施形態に係るガードルを着用した場合の贅肉の動きを示す図である。
【図３】図３（ａ）、（ｂ）は、前記第１の実施形態における、当て布の部分の断面図である。
【図４】図４は、本発明のウエスト構造を有する衣類の一例である、第２の実施形態に係るガードルの背面図である。
【図５】図５（ａ）、（ｂ）、（ｃ）は、前記第２の実施形態における、本体部とパネル部との縫着方法を示す図である。
【図６】図６は、本発明のウエスト構造を有する衣類の一例である、第３の実施形態に係るガードルの背面斜視図である。
【図７】図７は、本発明のウエスト構造を有する衣類の一例である、第４の実施形態に係る腹巻の背面図である。
【図８】図８は、人体の胸部から腰部付近を側面方向から見た骨格の模式図である。
【図９】図９は、人体の背中側から見た前記第１の実施形態における本体および当て布の着用時の位置を、人体の骨格とともに示した模式図である。
【発明を実施するための形態】
【００１０】
本発明のウエスト構造について、例をあげて説明する。ただし、本発明は、以下の例に限定および制限されない。
【００１１】
（第１の実施形態）
図１に、本発明のウエスト構造の一例として、衣類がガードルである場合を示す。図１（ａ）は、ガードル１００の背面斜視図である。図１（ａ）において、白抜き矢印で示す位置は、着用時のウエストラインＬである。ここで、ウエストラインＬとは、腹部の最もくびれている箇所を水平に一周するラインであり、衣類において、一般には、ヌード寸法として表示される際の測定箇所をいう。本発明のウエスト構造において、ウエスト部とは、着用時にウエストラインＬ付近となる位置をいう。図１（ａ）に示すように、ガードル１００は、ウエスト部において、ウエストラインＬを含む胴周囲を覆う帯状の本体１０１と、本体１０１に取り付けられる当て布１０２とを有している。本体１０１は、腹部側に配置される前部分１０１Ａと、前部分１０１Ａに対向して設けられる後部分１０１Ｂとで構成されている。当て布１０２は、ウエストラインＬを含む領域において、本体１０１の両側部から後側の範囲に配置されている。図１（ａ）において、当て布１０２が配置されている部分は、構造を分かりやすくするために、本体１０１を外した状態で図示している。本実施形態において、本体１０１の最も肌側には、裏打ち布（図示せず）が配置されている。
【００１２】
図１（ｂ）は、図１（ａ）における右側の当て布の部分（二点鎖線で囲んだ部分）を拡大し、肌側から見た図である。図１（ｂ）に示すように、当て布１０２は、両側辺Ｐ１、Ｐ２、上辺Ｐ３および下辺Ｐ４を有している。当て布１０２は、前述のように、ウエストラインＬを含む領域において、本体１０１の両側部から後側の範囲に配置されている。そして、当て布１０２の上辺Ｐ３は、本体１０１の両側部から後側に向かって、上から下に傾斜する形状に形成されている。本実施形態において、当て布１０２において前側に配置される側辺Ｐ１は、本体１０１の前部分１０１Ａと後部分１０１Ｂとの境界部分であるＳ１およびＳ２の位置に配置されているが、本発明において、両側部とはこれに限られず、Ｓ１およびＳ２を含む体の側部に該当する領域であってもよい。
【００１３】
着用時において、図１（ａ）で破線で囲んだ部分には、贅肉が溜まりやすい。そのため、例えば、上辺がウエストラインＬと平行である当て布を用いた場合には、当該当て布は贅肉に食い込んでしまう。本実施形態において、当て布１０２の上辺Ｐ３は、前述のとおり、本体１０１の両側部Ｓ１およびＳ２から後側に向かって、上から下へ傾斜して形成されている。これにより、贅肉を、図２に示す矢印の方向に移動させることができ、贅肉をスムーズに後側へ分散させることができる。したがって、本実施形態では、本体１０１の上辺付近に贅肉をたまりにくくすることができるため、本体１０１の上辺が贅肉に食い込むことを防ぐことができる。
【００１４】
本実施形態において、当て布１０２の両側辺Ｐ１およびＰ２は、本体１０１に固定されている。図１（ａ）において二点鎖線で囲んだ方の当て布１０２で説明すると、当て布１０２の一方の側辺Ｐ１は、本体１０１の一方の側部Ｓ１に固定されており、当て布１０２の他方の側辺Ｐ２は、本体１０１の後側に固定されている。一方、当て布１０２の上下辺Ｐ３およびＰ４は、本体１０１から遊離している。これにより、当て布１０２の上下辺Ｐ３およびＰ４は、着用状態で、本体１０１よりも伸び易い状態で脇側部分の贅肉を押圧することができる。したがって、脇部分の贅肉を、スムーズに後側へ移動させることができる。
【００１５】
本実施形態において、当て布１０２の上辺Ｐ３の最高点は、本体１０１の上辺と一致していてもよいし、本体１０１の上辺より下であってもよい。当て布１０２の傾斜角度θは、特に制限されないが、例えば、水平に対して５度〜４５度であることが好ましく、１０度〜３５度であることがより好ましい。
【００１６】
当て布１０２の下辺Ｐ４は、本体１０１の両側部Ｓ１およびＳ２から後側に向かって、上から下に向かって傾斜するよう形成されていることが好ましい。これにより、上辺Ｐ３のみでなく、下辺Ｐ４側においても贅肉を分散させる効果を得ることができる。なお、本実施形態では、下辺Ｐ４も上辺Ｐ３と同様に傾斜する例を挙げているが、本発明は、これに限定されるものではない。例えば、ガードル１００の仕様に応じて、下辺Ｐ４は水平に形成し、後部分１０１Ｂに縫着するようにしてもよい。
【００１７】
本実施形態において、当て布１０２は、本体１０１の後部分１０１Ｂの両側部から、後ろに向かって配置されているのが好ましい。本実施形態において、本体１０１の後部分１０１Ｂの両側部と、前述の本体１０１の両側部Ｓ１およびＳ２とは、一致する。当て布１０２は、本体１０１の後部分１０１Ｂの両側部（Ｓ１およびＳ２）ではなく、前部分１０１Ａから配置されていてもよいが、後部分１０１Ｂから配置されていることにより、贅肉を効率的に後側へ移動させることができる。
【００１８】
図８は、人体の胸部から腰部付近を側面方向から見た骨格の模式図である。前記後部分１０１Ｂの両側部は、着用時において、図８に示す大転子Ｔから、体の上下方向に沿った上方向の部分に該当する。図９は、人体の背中側から見た本体１０１および当て布１０２の着用時の位置を、人体の骨格とともに示した模式図である。当て布１０２は、腰椎Ｕの左右端にかからない横幅を有していることが好ましい。当て布１０２の体の左右方向の幅は、着用者のサイズによって変動するが、例えば、本体１０１の後部分１０１Ｂ全体の略３分の１の幅であることが好ましい。
【００１９】
図９に示すように、本体１０１の上辺は、着用時において、第三腰椎Ｕ１の少なくとも一部に相当する部分までを覆うように形成されていることが好ましい。第三腰椎Ｕ１は、腰部の回旋運動時に作用する腰回旋筋に繋がっている。そのため、本体１０１の上辺が、第三腰椎Ｕ１の少なくとも一部に相当する部分までを覆う幅であると、ウエスト部をより広範囲に補整することができ、また、着用時に肋骨に干渉することもない。そして、本体１０１の下辺は、着用時において、第五腰椎Ｕ２の少なくとも一部に相当する部分までを覆うように形成されていることが好ましい。本実施形態において、本体１０１の体の上下方向に沿った幅は、特に制限されないが、５ｃｍ〜１５ｃｍの範囲であることが好ましく、６ｃｍ〜１０ｃｍの範囲であることがより好ましい。
【００２０】
本実施形態において、当て布１０２は、本体１０１よりも低伸度であることが、保形力の観点から好ましい。当て布１０２に使用する素材は、特に制限されないが、例えば、パワーネット、ツーウェイ素材、トリコネット等があげられる。また、当て布１０２に樹脂加工を施し、部分的に伸度を変えたものを使用してもよい。なお、当て布１０２の伸度は、本体１０１の仕様に応じて、本体１０１と同程度の伸度としてもよいし、本体１０１よりも高伸度としてもよい。
【００２１】
本実施形態において、本体１０１は、当て布１０２よりもやわらかく、かつ、高伸度であることが好ましい。これにより、やわらかい着用感を得ることができる。本体１０１に使用する素材は、特に制限されないが、例えば、パワーネット、ツーウェイ、ベア天竺等があげられる。なお、本体１０１の伸度は、本体の仕様に応じて、当て布１０２と同程度の伸度としてもよいし、当て布１０２よりも低伸度としてもよい。
【００２２】
図１（ｂ）に示すように、本実施形態において、本体１０１の上辺は、折り返し（ワサ）始末がされている。図３（ａ）は、当て布１０２の一方の側辺Ｐ１と本体１０１の一方の側部Ｓ１との固定位置、（ｂ）は、当て布１０２の他方の側辺Ｐ２と本体１０１の後側との固定位置の断面図である。折り返し部分の幅は、特に制限されないが、例えば、２ｃｍ〜５ｃｍの範囲であることが好ましい。本体１０１の上辺を折り返し始末することにより、テープまたはゴム等を使用しなくてもしっかりと係止することができ、やわらかい着用感を得ることができる。また、広幅での折り返し始末であるので、本体１０１の上辺が身体に食い込むのを防ぐことができる。なお、本実施形態においては、本体１０１の上辺は、折り返し始末がされているが、本発明はこれに限られず、フリーカット素材を使用してもよい。
【００２３】
なお、本実施形態においては、当て布１０２が本体１０１の後側に配置されている構成を説明したが、本発明はこれに限られず、当て布１０２を本体１０１の前側（前部分１０１Ａ）に配置することもできる。この場合、当て布１０２は、本体１０１の両側部から前側の範囲に配置され、当て布１０２の上辺は、本体１０１の両側部から前側に向かって、上から下に傾斜する形状に形成される。また、当て布１０２の下辺も、本体１０１の両側部から前側に向かって、上から下に傾斜する形状に形成されていてもよい。その他の説明は、前記第１の実施形態の説明を援用することができる。このように、当て布１０２を前側に配置しても、当て布の上辺が傾斜していることにより、贅肉を前側にスムーズに分散させることができ、着崩れおよび食い込みを防ぐ効果を得ることができる。
【００２４】
（第２の実施形態）
図４に、本発明のウエスト構造を有する第２の実施形態に係るガードル２００を示す。図４は、ガードル２００の背面図である。
【００２５】
本実施形態において、ガードル２００は、ウエストラインＬを含む領域において、伸縮部２０３と、当て布２０２が配置される位置に対応するパネル部２０４とを有する。伸縮部２０３は、本体２０１を含み、パネル部２０４は、当て布２０２および当て布２０２と略同一の横幅を有する本体２０１を含む。本実施形態において、パネル部２０４は、さらに、一番肌側に裏打ち布２０５を有しているが、本発明はこれに限られない。
【００２６】
本実施形態において、伸縮部２０３とパネル部２０４とは、当て布２０２の両側辺Ｑ１およびＱ２において、袋縫いで固着されている。図５に、本実施形態における前記袋縫いの方法を示す。図５（ａ）に示すように、伸縮部２０３を構成する本体２０１が、パネル部２０４を構成する裏打ち布２０５、当て布２０２および本体２０１を間に挟んだ状態で、これらの部材を重ね合わせる。伸縮部２０３を構成する本体２０１は、中表になった状態で重ね合わされている。そして、縫い代部２０６の仕上がり線（二点鎖線で示す線）に沿って縫着した後、縫い代部２０６が内側となるよう、伸縮部２０３の本体２０１を、それぞれ矢印で示される方向に折り返す。折り返した後の状態を図５（ｂ）に示す。伸縮部２０３およびパネル部２０４を上記のように縫着することにより、縫い代部２０６には、例えば、図５（ｃ）の縫着部分の断面図に示すように、合計７枚の布地が重なることになる。これにより、ボーンを使用しなくても、縫い代部２０６に、ボーン効果を持たせ、体型補整効果を高めることができる。
【００２７】
また、図４に示すとおり、本実施形態において、縫い代部２０６には、ステッチ２０８が施されていることが好ましい。これにより、縫い代部２０６のボーン効果をさらに高めることができる。また、ステッチ２０８を施して上から押さえることにより、複数枚の生地が重なった縫い代部２０６に段差が生じるのを防ぎ、なめらかなシルエットに整えることができる。さらに、着用時において、縫い代部２０６にしわが入るのを防ぎ、体にフィットしたきれいなシルエットを実現することができる。
【００２８】
（第３の実施形態）
図６は、本発明のウエスト構造を有する、クロッチを有さないタイプのガードル３００の背面斜視図である。図示のように、本実施形態におけるガードル３００は、クロッチ部を有さない他は、第１の実施形態と同様の構成である。
【００２９】
本実施形態のように、クロッチ部を有さない場合であっても、本発明によれば、着崩れを起こすことなく、ウエスト部への食い込みを防ぐことができる。
【００３０】
（第４の実施形態）
図７に、本発明のウエスト構造を有する腹巻４００を示す。図７は、腹巻４００の背面図である。図示のように、本実施形態における腹巻４００は、ウエスト部に本発明のウエスト構造を有する。腹巻４００は、腹巻本体４０１を構成する部材のウエスト部に、本体１０１が取り付けられて形成されている。同図において、腹巻４００のウエスト部の当て布１０２が配置されている部分は、構造を分かりやすくするために、本体１０１を外した状態で図示している。このように、本発明は、ウエスト始末部分のみではなく、ウエスト部を有する様々な種類の衣類に適用可能である。なお、本実施形態では、本体１０１と腹巻本体４０１とは別部材であるが、本発明はこれに限られず、本体１０１と腹巻本体４０１とが一体として形成されてもよい。また、本実施形態では、当て布１０２が後側に配置される構成を説明したが、本発明はこれに限られず、当て布が前側に配置されてもよい。また、腹巻の仕様に応じて、当て布１０２の幅を大きく設定し、当て布１０２の上辺部分が肋骨下部の一部を覆う位置を通るようにしてもよい。この場合にも、上記実施形態と同様の効果を得ることができる。
【００３１】
以上、実施の形態の具体例として、ガードル、腹巻をあげて本発明を説明したが、本発明のウエスト構造は、これらの具体例で記載されたもののみに限定されるものではなく、ウエストニッパー、水着、レオタード、ガードル以外のパンツまたはショーツ等のクロッチ付衣類、その他各種の衣類に適用できる。
【産業上の利用可能性】
【００３２】
本発明のウエスト構造は、種々の態様が可能である。例えば、上記の実施形態のようなファンデーション衣類以外にも、スポーツ衣類、アウターなど、各種の衣類に適用できる。
【符号の説明】
【００３３】
１００、２００、３００  ガードル
１０１、２０１  本体
１０１Ａ  本体の前部分
１０１Ｂ  本体の後部分
１０２、２０２  当て布
２０３  伸縮部
２０４  パネル部
２０５  裏打ち布
２０６  縫い代部
２０８  ステッチ
４００  腹巻
４０１  腹巻本体
Ｌ  ウエストライン
Ｐ１、Ｐ２、Ｑ１、Ｑ２  当て布の両側辺
Ｐ３  当て布の上辺
Ｐ４  当て布の下辺
Ｓ１、Ｓ２  本体の両側部（後部分の両側部）
Ｔ  大転子
Ｕ  腰椎
Ｕ１  第三腰椎
Ｕ２  第五腰椎
θ    当て布の傾斜角度
【図１】
0005861398.tif 000002
【図２】
0005861398.tif 000003
【図３】
0005861398.tif 000004
【図４】
0005861398.tif 000005
【図５】
0005861398.tif 000006
【図６】
0005861398.tif 000007
【図７】
0005861398.tif 000008
【図８】
0005861398.tif 000009
【図９】
0005861398.tif 000010